(57)【要約】      （修正有）【課題】カニのみならず、エビ、魚等をも好ましく捕獲し、かつ、一旦捕獲したものを脱出させないようにした魚類捕獲具を提供する。【解決手段】カゴ状体１と、該カゴ状体１に設けられた開口部７と、該開口部７を常時開いた状態に保持する弾性手段と、一端を該開口部７に関連させた紐体１３とを備え、該紐体１３を引いたときに該紐体１３が該弾性手段の力に効して該開口部７を閉じるようにしたことを特徴とする魚類捕獲具。前記紐体１３を引いたときに該紐体１３の戻りを阻止する戻り止め手段を備えさせる。【選択図】図１
0003114441.tif 000002
【実用新案登録請求の範囲】
【請求項１】
カゴ状体と、該カゴ状体に設けられた開口部と、該開口部を常時開いた状態に保持する弾性手段と、一端を該開口部に関連させた紐体とを備え、該紐体を引いたときに該紐体が該弾性手段の力に抗して該開口部を閉じるようにしたことを特徴とする魚類捕獲具。
【請求項２】
前記紐体を引いたときに該紐体の戻りを阻止する戻り止め手段を備えさせたことを特徴とする請求項１に記載の魚類捕獲具。
【考案の詳細な説明】
【技術分野】
【０００１】
本考案は、魚類捕獲具に関するものであり、海、川、湖等の水中に投入して魚、カニ、エビ等を捕獲するようにした魚類捕獲具に係るものである。
【背景技術】
【０００２】
魚類捕獲具としては、カゴ状体にカニが外部から押したときに開口する入口を備えさせてなるカニ捕獲具が知られている。
【０００３】
実開平６−３１４５２号公報は、非透光性の素材で形成された有底筒状の基体と、該基体の底部側に設けられた通水部と、該基体の開口部側に設けられ、先端部には出入口が設けてある反転自在な網筒体と、該網筒体の該基体内への収納、固定及び外部への反転が容易にできるようにした操作紐とを備えた魚類捕獲装置を開示している。
【特許文献１】実開平６−３１４５２号公報
【考案の開示】
【考案が解決しようとする課題】
【０００４】
上記従来のカニ捕獲具においては、カニを捕獲することはできるものの、魚を捕獲することができない。けだし、魚はカゴ状体の外部から入口を押して開口することがないからである。
【０００５】
一方、上記従来の魚類捕獲装置においては、出入口より基体内に入った魚類が該出入口より脱出するおそれがある。
【０００６】
本考案は、上記従来のカニ捕獲具及び魚類捕獲装置における上述の如き問題を解決し、カニのみならず、エビ、魚等をも好ましく捕獲し、かつ、一旦捕獲したものを脱出させないようにした魚類捕獲具を提供しようとしてなされたものである。
【課題を解決するための手段】
【０００７】
上記課題を解決するために、本考案は、下記の魚類捕獲具を提供する。
【０００８】
（１）カゴ状体と、該カゴ状体に設けられた開口部と、該開口部を常時開いた状態に保持する弾性手段と、一端を該開口部に関連させた紐体とを備え、該紐体を引いたときに該紐体が該弾性手段の力に抗して該開口部を閉じるようにしたことを特徴とする魚類捕獲具（請求項１）。
【０００９】
（２）前記紐体を引いたときに該紐体の戻りを阻止する戻り止め手段を備えさせる（請求項２）。
【００１０】
［考案の作用］
［請求項１の考案］
魚類捕獲具を使用する際には、カゴ状体内に適宜の餌を入れた状態で該魚類捕獲具を海、川、湖等の水中に投入し、紐体の他端を使用者の近傍に位置させておく。カニ、エビのみならず、魚も、餌に誘引され、常時開いている開口部を通ってカゴ状体内に入る。そこで、使用者が紐体を引いてカゴ状体を引き上げるのである。紐体を引いたときには該紐体が弾性手段の力に抗して開口部を閉じるため、カゴ状体内に入ったカニ、エビ、魚等がカゴから脱出するおそれはない。
【００１１】
［請求項２の考案］
使用者が紐体を引き続けている間は、紐体が弾性手段の力に抗して開口部を閉じているのであるが、紐体の引きを停止したときでも、紐体は戻り止め手段により戻りが阻止されるため、開口部が弾性手段の力により開くおそれはない。
【考案の効果】
【００１２】
［請求項１の考案］
開口部は弾性手段により常時開いた状態に保持されるため、カニのみならずエビ、魚等も該開口部よりカゴ状体内に入る。
【００１３】
カニ、エビ、魚等がカゴ状体内に入ったときには、紐体を引くことによりカゴ状体の開口部が閉じるため、カゴ状体を引き上げる際にカニ、エビ、魚等がカゴ状体から逃げ出すおそれはない。
【００１４】
［請求項２の考案］
使用者が紐体を引いた後、紐体の引きを停止したときでも、紐体は戻り止め手段により戻りが阻止されるため、開口部が弾性手段の力により開くおそれはない。従って、使用者が紐体を引いた後、紐体の引きを停止したときでも、カニ、エビ、魚等がカゴ状体から逃げ出すおそれはない。
【考案を実施するための最良の形態】
【００１５】
符号１に示すものはカゴ状体である。カゴ状体１は、一例として、フレーム３に合成樹脂等の網５を張設してなるものである。図１に示すカゴ状体１は略直方体であるが、カゴ状体１の形状は如何なるものであってもよい。
【００１６】
カゴ状体１には開口部７を設ける。開口部７は、形状の如何を問わない。
【００１７】
開口部７を常時開いた状態に保持する弾性手段９を設ける。図２における符号１０に示すものは、常時開いている開口部７を通過する魚である。
【００１８】
弾性手段９は、一例として複数本のゴム紐とする。即ち、開口部７の周縁部材１１と網５との間にゴム紐９を取り付け、各ゴム紐９の力により開口部７の周縁部材１１が常時開いた状態に保持されるようになす。図３参照。
【００１９】
一端１３ａを開口部７に関連させた紐体１３を設け、該紐体１３を引いたときに該紐体１３が弾性手段９の力に抗して開口部７を閉じるようになす。
【００２０】
即ち、一例として、紐体１３の一端１３ａをループ状となし、該ループ状の一端１３ａを開口部７の周縁部材１１と各ゴム紐９とに関連させる。図３参照。
【００２１】
符号１５に示すものは紐体１３の挿通環である。挿通環１５はカゴ状体１のフレーム３に取り付けられる。
【００２２】
紐体１３を引いたときに該紐体１３の戻りを阻止する戻り止め手段１７を備えさせることが望ましい。
【００２３】
戻り止め手段１７は、一例として、図４、図５に示すように、紐体１３に略円錐状体１９を取り付け、該略円錐状体１９は紐体１３の前記一端１３ａ側より他端１３ｂ側に向って徐々に細径となるように形成し、紐体１３を他端１３ｂ方向に引いたときに該略円錐状体１９は挿通環１５を当該他端１３ｂ方向には通過するが、一旦挿通環１５を通過した後は該挿通環１５を逆方向には通過し得ないようにしてなるものとする。
【００２４】
カゴ状体１には、図６に示すように、カニ２１が外部から押したときに開口する入口２３を備えさせてもよい。
【図面の簡単な説明】
【００２５】
【図１】本考案による魚類捕獲具の一例を示す斜視図である。
【図２】開口部を示す断面図である。
【図３】開口部を示す正面図である。
【図４】戻り止め手段を示す斜視図である。
【図５】戻り止め手段を示す断面図である。
【図６】入口を示す断面図である。
【符号の説明】
【００２６】
１  カゴ状体
３  フレーム
５  網
７  開口部
９  弾性手段
１０  魚
１１  周縁部材
１３  紐体
１３ａ  一端
１３ｂ  他端
１５  挿通環
１７  戻り止め手段
１９  略円錐状体
２１  カニ
２３  入口
【図１】
0003114441.tif 000003
【図２】
0003114441.tif 000004
【図３】
0003114441.tif 000005
【図４】
0003114441.tif 000006
【図５】
0003114441.tif 000007
【図６】
0003114441.tif 000008